(57)【特許請求の範囲】
【請求項１】
農業用歩行型管理機の機体の両側部から後方に向けて左右の縦ハンドル部を突設するとともに該縦ハンドル部の後端部に横ハンドル部の両端部を一体的に連設して成るループ型ハンドルに対して、前記横ハンドル部の一端部又は両端部に、握り手幅以上の長さで側方へ突出させたＣ字形のグリップ部を前記縦ハンドル部及び横ハンドル部に設けた着脱手段を介して延設し、
前記着脱手段が、前記Ｃ字形のグリップ部の基端部と先端部とを支持棒で繋いでＤ字形に形成し、前記支持棒と前記縦ハンドル部との間に連結材を介在させて該支持棒と縦ハンドル部とを着脱固定ネジで固定可能とするとともに前記縦ハンドル部及び前記横ハンドル部間の湾曲コーナー部を上下で挟み付け可能な挟持面を備えた被せ固定枠を該湾曲コーナー部に挟着して成り、前記着脱固定ネジによりループ型ハンドルへ着脱可能としたことを特徴とするループ型ハンドル用補助ハンドル。
【発明の詳細な説明】
【技術分野】
【０００１】
本発明は農作業用歩行型管理機の機体の後方に向けて設けられたループ型ハンドルに用いる補助ハンドルに関する。
【背景技術】
【０００２】
ループ型ハンドルの湾曲したループ部分に横長のクラッチレバーを重ねて設けた歩行型管理機では、耕耘などの作業をする場合に、クラッチレバーがハンドルの握り部全体を覆う形となっているので、クラッチ操作時ハンドルを持っている片方の手をハンドルの握り部分とクラッチレバーとの間に挟む事故が多発している。
そのような事故を解決するためにハンドルの中央部分を下方に湾曲させた下記特許文献１の発明が提案されている。
一方、耕耘する場合、管理機の後方中央でハンドル操作すると、柔らかく耕耘した部分の土を人が足跡で踏み固めて壊してしまうので、これを避けるために、身体を管理機の側方に寄せて斜めに構えたハンドル操作が行われている。
また、畝間の中央に畝を形成できる管理機での作業では、管理機の後方中央でハンドル操作をすると、できた畝を足で踏み壊してしまうので、そのような中央歩行を避けて身体を管理機の側方に寄せてハンドル操作を行っている。
【先行技術文献】
【特許文献】
【０００３】
【特許文献１】特開２００７−３０６８２号公報
【発明の概要】
【発明が解決しようとする課題】
【０００４】
しかし、上記引用文献１の発明では、耕耘した農地を足で踏まないようにするにはハンドルの中央部を避けて側方でハンドル操作をしなければならないため、自然とハンドルの中央にある下向き湾曲部分から離れた側部寄り部分を手で掴むようになってしまい、クラッチレバーに手を挟む事故を解消することは困難である。
【０００５】
また、上記の如く側方からのハンドル操作を行うと自然と身体が横向きとなり、管理機の走行が不安定となってしまって真っ直ぐで均一な畝の形成が困難となる。また足が畝の傾斜面に掛かり易く、足首を挫くなど歩行上の安全性にも問題があった。
【０００６】
そこで本発明が解決しようとする課題は、上記ループ型ハンドルを備えた歩行型管理機において、手を挟むことなくクラッチレバーの操作が可能となるとともに、身体を管理機の側方へ寄せたときに身体が自然に前向きの状態となって安定的に管理機の操作が可能となるハンドルを提供する点にある。
【課題を解決するための手段】
【０００７】
本発明者等は、農業用歩行型管理機の機体の両側部から後方に向けて左右の縦ハンドル部を突設するとともに該縦ハンドル部の後端部に横ハンドル部の両端部を一体的に連設して成るループ型ハンドルに対して、別のハンドルを延設することで上記課題を解決できるのではないかと考え、ループ型ハンドル用補助ハンドルを想起した。
【０００８】
請求項１に係るループ型ハンドル用補助ハンドルは、前記ループ型ハンドルの前記横ハンドル部の一端部又は両端部に、握り手幅以上の長さで側方へ突出させたＣ字形のグリップ部を前記縦ハンドル部及び横ハンドル部に設けた着脱手段を介して延設する。
【００１２】
そして、前記着脱手段が、Ｃ字形のグリップ部の基端部と先端部とを支持棒で繋いでＤ字形に形成し、前記支持棒と前記縦ハンドル部との間に連結材を介在させて該支持棒と縦ハンドル部とを着脱固定ネジで固定可能とするとともに前記縦ハンドル部及び前記横ハンドル部間の湾曲コーナー部を上下で挟み付け可能な挟持面を備えた被せ固定枠を該湾曲コーナー部に挟着して成り、前記着脱固定ネジによりループ型ハンドルへ着脱可能としたことを特徴とする。
【発明の効果】
【００１３】
本発明の補助ハンドルはグリップ部をループ型ハンドルの横ハンドル部の側方に突出させて延設したので、歩行型管理機を、該補助ハンドルのみ又はループ型ハンドルとともに該グリップ部を持って操作することが可能となり、前記グリップ部はクラッチレバーからは開放されているので、該グリップ部を持ってクラッチ操作を行えばクラッチレバーで手を挟む虞がなくなる。
また、該管理機の後方中央に足跡ができるのを避けるために管理機の側方へ身体を寄せたとき、ループ型ハンドルの側部に突出した補助ハンドルに自然に手が行き、身体は自然に前向きに状態となって安定的に管理機を操作することが可能となる。
この結果、身を捩るなどの無理な姿勢になることがないので、後方中央が綺麗な状態に耕耘されると同時に安全に作業を行うことが可能となる。
【００１４】
また、デファレンシャルギアが内蔵されている歩行型管理機にあっては、旋回や方向転換をさせるときには、片方の止めた駆動車輪が支点となり、その支点から前記補助ハンドルのグリップ部までの距離は、ループ型ハンドルのどの握り部分までの距離よりも長くなり、且つ補助ハンドルが機体中央から側方へ大きくオフセットしているので、ループ型ハンドルを持ったときよりも小さい力で軽く楽に管理機の回転操作を行うことが可能となる。
【００１７】
そして、着脱手段によって補助ハンドルがループ型ハンドルに着脱できるので、必要に応じて容易にループ型ハンドルに補助ハンドルを着脱すれば、耕耘機が使い易くなる。
【００１８】
そして前記着脱手段により前記ループ型ハンドルに補助ハンドルを装着するときには、Ｃ字形のグリップ部の両端部をＤ字形に繋いだ支持棒とループ型ハンドルの縦ハンドル部とが連結材を介して着脱固定ネジで強固に固定し、且つ被せ固定枠の挟持面で前記縦ハンドル部及び横ハンドル部間の湾曲コーナー部を上下から挟み付けて補助ハンドルの動きを拘束し、ループ型ハンドルと補助ハンドルとの間の起こる横ずれや回動などの複雑な動きが強く押えられて安定的な固定が可能となる。
また、連結材から着脱固定ネジを外すことで容易に補助ハンドルを前記ループ型ハンドルから離脱させることが可能となる。
【図面の簡単な説明】
【００１９】
【図１】管理機における使用状態を示す側面図である。
【図２】管理機における使用状態を示す平面図である。
【図３】（イ）がハンドル部分を示す平面図であり、（ロ）がその縦断側面図である。
【図４】拡大した補助ハンドル部分を示す斜視図である。
【図５】別の形態の（イ）がループ型ハンドルから突出した状態を示し、（ロ）がループ型ハンドル内に折り畳まれた状態を示す補助ハンドル部分の各斜視図である
【図６】別の形態の（イ）がループ型ハンドルから突出した状態を示し、（ロ）がループ型ハンドル内に没した状態を示す補助ハンドル部分の各斜視図である。
【発明を実施するための形態】
【００２０】
車輪の後方に作業機が取り付けられた農業用歩行型管理機の機体には、図１に示すように、後方に向けてループ型ハンドルが備わっている。
該ループ型ハンドルが備わっている管理機にあって、本発明は管理機の機体Ｋの両側部から後方に向けて突設された左右の縦ハンドル部２、２の後端部を繋ぐ横ハンドル部３を一体的に連設したループ型ハンドルＡの側部に突出したグリップ部５を延設したものである。
【００２１】
前記ループ型ハンドルは鉄やステンレス製の１本のパイプを湾曲させて形成し、立った人が手で持ち易い高さに機体Ｋ側部から後方に高く縦ハンドル部２、２を傾斜させて設けられ、図２に示すように、縦ハンドル部２、２の後端部に繋がる横ハンドル部３は全体が手で握るグリップ部となり、また、縦ハンドル部２、２の後部の一部も繋ぎコーナーの湾曲部分とともに手で握れるグリップ部となる。
そして、前記縦ハンドル部２、２の後部寄りの左右対称部位に略Ｕ字型のクラッチレバー４の両端部が上下回動するように枢支され、該クラッチレバー４にはクラッチ操作用にワイヤーが接続される。
【００２２】
前記クラッチレバー４は引いたとき、図１に示すように、前記ループ型ハンドルＡの横ハンドル部３に上から重なるように設けられる。このためクラッチレバー４を引くと、前記クラッチレバー４と横ハンドル部３との間に手や指があったときには挟まれる。
【００２３】
本発明では、前記ループ型ハンドルＡの横ハンドル部３の側方へ突出した状態となるように、グリップ部５を前記横ハンドル部３に延設する。そのグリップ部５の長さは、手で掴むために設けるので握り手幅以上の長さに形成する。
【００２４】
前記グリップ部５の形状は少なくとも掌の横幅以上の長さを有するパイプや棒体で作られる。材質は金属、木材、プラスチック等の硬く強度の高いものを用いる。
前記ループ型ハンドルＡに該グリップ部５を取り付けるには、金属製の場合はループ型ハンドルに溶接して一体化することができ、木材やプラスチック製の場合には固定部材を介してループ型ハンドルＡに固定することができる。
該グリップ部５の形状は、直線状やＬ字形に屈曲させたりＣ字形に湾曲させたものが使用可能であり、さらに、四角状や円形状のループ状に形成したものも可能である。
また、プラスチック製の場合にはループ型ハンドルＡへのグリップ部５の固定部を補助ハンドル１と一体形成することも可能である。
【００２５】
本発明の補助ハンドル１は上記の如く各種形態が可能であるが、例えば、図２に示すように、金属パイプをＣ字形に湾曲させたループ状の形態が可能である。
該補助ハンドルでは、グリップ部５の基端部から握り手幅よりも先端部側部分を、さらに握り手幅以上の長さを確保して前方へ湾曲させる。
この形態で以下説明すると、前記グリップ部５の基端部５aを前記横ハンドル部３の一端部から側方へと連結材などの固定金具を介して接続し、該グリップ部５の先端部５ｂを前方へ湾曲させたループ状に形成する。
図２では、前記グリップ部５の両端部を、さらに内側に湾曲させてＤ字形に繋ぐ金属パイプ製の支持棒６を溶接してループ状に形成した態様を示している。
【００２６】
そして、図３及び図４に示すように、前記支持棒６と前記縦ハンドル部２との間に金属製の連結材８を介在させて該支持棒６と前記縦ハンドル部２とを着脱固定ネジ９で固定する。
該連結材８は図３及び図４に示すように前記支持棒６に基部８ｄと先端部を屈曲させた立ち上がり屈曲部８ｃを前記補助ハンドル１の内側から前記ループ型ハンドルＡの縦ハンドル部２に向けて溶接し、該立ち上がり屈曲部８ｃには内側保持部８aを、また前記基部８ｄには外側保持部８ｂを、それぞれ対向させて形成し、該内側保持部８aと外側保持部８ｂとを、その間に前記縦ハンドル部２を挟持可能に設ける。
この縦ハンドル部２の挟持を確実にするため、前記内側保持部８aの板面は前記縦ハンドル部２を包む様に湾曲させ、また前記外側保持部８ｂはＬ字型の押さえ部材を用いて、前記縦ハンドル部２を挟む様に屈曲させて前記縦ハンドル部２の両側に凹み面を対設する。
そして前記内側保持部８ａの板面には雌ネジ孔を設けて着脱固定ネジ９を前記外側保持部８ｂに対して出没可能に螺着する。
これにより、前記着脱固定ネジ９の回転で、前記内側保持部８aと前記外側保持部８ｂとの間に挟んだ前記ループ型ハンドルＡの縦ハンドル部２が締め付けられ、前記ループ型ハンドルＡに対して前記補助ハンドル１が固定可能となる。
【００２７】
さらに、前記縦ハンドル部２及び前記横ハンドル部３間の湾曲コーナー部を上下で挟み付ける挟持面７ａを備えた被せ固定枠７を、前記グリップ部５の基端部５ａに溶接して設け、該被せ固定枠７を前記湾曲コーナー部に嵌着して固定可能とする。
この形態では、前記ループ型ハンドルＡと前記補助ハンドル１が、前記着脱固定ネジ９の緩めと、前記被せ固定枠７の取り外しとで離脱可能となる。
また、該被せ固定枠７の前記ループ型ハンドルＡに当接する内面側には合成樹脂やゴムなどの軟質シートを被覆すれば、取り付け後のガタツキがなく安定し、取り外したとき前記ループ型ハンドルＡに取り付け傷が残るのが防止できる。
また、図示しないが、前記挟持面７ａの両側を、前記ループ型ハンドルＡの湾曲コーナー部の内側に張り出すように広く設けて、この広げた部分にボルト固定部を設ける態様が可能である。この態様では、前記ループ型ハンドルＡを嵌合すると同時にボルトによって固定することができるので、前記ループ型ハンドルＡに前記補助ハンドル１をより強固に固定することが可能となる。
【００２８】
なお、前記ループ型ハンドルＡと前記補助ハンドル１を着脱可能とする着脱手段１０は、前記支持棒６がない態様であっても前記グリップ部５の基端部５ａをループ型ハンドルＡに着脱可能とすれば良く、ボルト止めなどによる各種形態が可能となる。
【００２９】
また、前記縦ハンドル部２と前記横ハンドル部３とは、開閉可能とする開閉手段１１又は出没可能とする出没手段１２を介して取り付けることも可能である。
【００３０】
例えば、前記開閉手段１１は、図５の（イ）及び（ロ）に示すように、前記縦ハンドル部２の後端部及び前記横ハンドル部３の一方端部に、中央にＤ字型のグリップ部５の基端部５ａを内側から上方を通過して側方へ回動可能とする枢支部１６を備えた挟持材１３を固定し、また前記グリップ部５の先端部５ｂを前記縦ハンドル部２に、前記グリップ部５の先端部５ｂを内側から上方を通過して側方へ回動可能とする枢支部１６を備えた挟持材１３を固定した形態が可能である。
即ち、前記グリップ部５を装着したままで前記枢支部１６を中心に回動させて、図５の（イ）に示すように、該グリップ部５をループ型ハンドルＡの外側から内側へ、また内側から外側へと随時出没させて使用することが可能となる。
なお、図５中の符号１４は、前記挟持材１３を前記縦ハンドル部２に固定するための止め板１４であり、また符号１５はその止め板を固定する止めネジ１５である。
【００３１】
また、前記出没手段１２は、例えば、図６の（イ）及び（ロ）に示すように、前記グリップ部５の基端部５ａと先端部５ｂの外径とほぼ等しい径で出没可能な管内径とした管材１７、１８を前記横ハンドル部３には長い管材１７を溶接し、前記縦ハンドル部２には短い管材１８を溶接して設けた形態が可能である。
この形態では、前記グリップ部５の基端部５ａと先端部５ｂを前記管材１７、１８に側方から嵌挿して、短い管材１８側の突出端部に、外側に引き出し過ぎたとき抜け落ちることがないように、前記グリップ部５の先端部５ｂを止める管材１８の内径よりも大径のストッパ１９を固定する。
この形態でも前記補助ハンドル１を装着したままで、図６の（イ）に示すように、該グリップ部５をループ型ハンドルＡの外側から内側へ押し込めることと、逆に引き出すことで随時出没させて使用することが可能となる。
【産業上の利用可能性】
【００３２】
本発明は農業用歩行型管理機のループ型ハンドルに対して使用するものであり、該ループ型ハンドルは各種異なったループ形状のものであっても利用が可能である。
【符号の説明】
【００３３】
１    補助ハンドル
２    縦ハンドル部
３    横ハンドル部
４    クラッチレバー
５    グリップ部
５ａ  グリップ部の基端部
５ｂ  グリップ部の先端部
６    支持棒
７    被せ固定枠
７ａ  挟持面
８    連結材
８ａ  内側保持部
８ｂ  外側保持部
８ｃ  立ち上がり屈曲部
８ｄ  基部
９    着脱固定ネジ
１０  着脱手段
１１  開閉手段
１２  出没手段
１３  挟持材
１４  止め板
１５  止めネジ
１６  枢支部
１７  管材
１８  管材
１９  ストッパ
Ａ    ループ型ハンドル
Ｋ    農業用歩行型管理機の機体
【図１】
0005624918.tif 000002
【図２】
0005624918.tif 000003
【図３】
0005624918.tif 000004
【図４】
0005624918.tif 000005
【図５】
0005624918.tif 000006
【図６】
0005624918.tif 000007